(57)【要約】【課題】  戸棚などの箱体を簡潔構造で昇降可能とし、水平方向に安定的とすると共に美観上好ましい柱型スライドユニットとその昇降装置を提供すること。【解決手段】  本発明の柱型スライドユニット１０Ａは、柱型の外側中空体１１Ａと、柱型の外側中空体１１Ａに内装される第１の角型の内側中空体１２Ａと、第１の角型の内側中空体１２Ａに内装される第２の角型の内側中空体１３と、柱型の外側中空体１１Ａと第１の角型の内側中空体１２Ａとの隙間および、第１の角型の内側中空体１２Ａと第２の角型の内側中空体１３との隙間に内装される長方体形状のスライダー１４Ａとを備えることとした。【選択図】図１
2008161614.tif 000002
【特許請求の範囲】
【請求項１】
柱型の外側中空体と、前記柱型の外側中空体に内装される１個の内側中空体または、前記柱型の外側中空体に順次内装される複数個の内側中空体と、前記柱型の外側中空体と前記内側中空体との隙間および、前記内側中空体どうしの隙間に内装される長方体形状のスライダーとを備えたことを特徴とする柱型スライドユニット。
【請求項２】
前記柱型の外側中空体は、側面に開口部が形成され、互いに連結する連結板の取付部が前記開口部に沿って設けられていることを特徴とする請求項１に記載の柱型スライドユニット。
【請求項３】
柱型の外側中空体に内側中空体がスライド可能に内装され、互いに並行に設置される柱型スライドユニットと、前記互いに並行に設置される柱型スライドユニットに取付けられる取付ブラケットに設けられる巻取ローラと、前記巻取ローラに一端が固定され、前記内側中空体の内部に設けられたガイドローラに掛けられてから、他端が前記取付ブラケットに固定されるベルトまたはワイヤとを備えたことを特徴とする柱型スライドユニット昇降装置。
【請求項４】
柱型の外側中空体に内側中空体がスライド可能に内装され、互いに並行に設置される側面側が開口した柱型スライドユニットと、前記互いに並行に設置される前記柱型スライドユニットの間に取付けられる連結板に設けられる巻取ローラと、前記巻取ローラに一端が固定され、前記柱型の外側中空体の上部に設けられたガイドローラと、前記内側中空体の内部に設けられたガイドローラとに掛けられてから、他端が固定されるベルトまたはワイヤとを備えたことを特徴とする柱型スライドユニット昇降装置。
【請求項５】
柱型の外側中空体に内側中空体がスライド可能に内装され、互いに並行に設置される側面側が開口した柱型スライドユニットと、前記互いに並行に設置される前記柱型スライドユニットの間に取付けられる連結板に設けられる巻取ローラと、前記巻取ローラに一端が固定され、前記柱型の外側中空体の上部に設けられたガイドローラと、前記内側中空体の下側に設けたガイドローラとに掛けられてから、他端が固定されるベルトまたはワイヤとを備えたことを特徴とする柱型スライドユニット昇降装置。
【発明の詳細な説明】
【技術分野】
【０００１】  本発明は、戸棚などの箱体を簡潔構造で昇降可能とし、水平方向に安定的とすると共に美観上好ましい柱型スライドユニットとその昇降装置に関する。
【背景技術】
【０００２】  従来の戸棚などの箱体には、外側に取付けたケースとの間にスライドユニットを設置し、ベルトなどの駆動により昇降にする昇降装置が設置されているものがある（例えば、特許文献１参照）。【０００３】
【特許文献１】  特開平１１−２０６４７５号公報
【発明の開示】
【発明が解決しようとする課題】
【０００４】  しかしながら、従来の戸棚などに使用される昇降装置は、スライドユニットによりスライド可能とし、ベルトなどの駆動により昇降にするため、機構が複雑であるとともに、スライドユニットによりスライドするため、下降したとき水平方向に不安定であり、さらにスライドユニットが露出するため美観上好ましくないという問題があった。
本発明は、上記の問題に鑑みてなされたものであって、戸棚などの箱体を簡潔構造で昇降可能とし、水平方向に安定的とすると共に美観上好ましい柱型スライドユニットとその昇降装置を提供することを目的とする。
【課題を解決するための手段】
【０００５】  本発明の柱型スライドユニットは、柱型の外側中空体と、前記柱型の外側中空体に内装される１個の内側中空体または、前記柱型の外側中空体に順次内装される複数個の内側中空体と、前記柱型の外側中空体と前記内側中空体との隙間および、前記内側中空体どうしの隙間に内装される長方体形状のスライダーとを備えることとした。
また、前記柱型の外側中空体は、側面に開口部が形成され、互いに連結する連結板の取付部が前記開口部に沿って設けられていることとした。
また、本発明の柱型スライドユニット昇降装置は、柱型の外側中空体に内側中空体がスライド可能に内装され、互いに並行に設置される柱型スライドユニットと、前記互いに並行に設置される柱型スライドユニットに取付けられる取付ブラケットに設けられる巻取ローラと、前記巻取ローラに一端が固定され、前記内側中空体の内部に設けられたガイドローラに掛けられてから、他端が前記取付ブラケットに固定されるベルトまたはワイヤとを備えることとした。
また、本発明の柱型スライドユニット昇降装置は、柱型の外側中空体に内側中空体がスライド可能に内装され、互いに並行に設置される側面側が開口した柱型スライドユニットと、前記互いに並行に設置される前記柱型スライドユニットの間に取付けられる連結板に設けられる巻取ローラと、前記巻取ローラに一端が固定され、前記柱型の外側中空体の上部に設けられたガイドローラと、前記内側中空体の内部に設けられたガイドローラとに掛けられてから、他端が固定されるベルトまたはワイヤとを備えることとした。
さらに、本発明の柱型スライドユニット昇降装置は、柱型の外側中空体に内側中空体がスライド可能に内装され、互いに並行に設置される側面側が開口した柱型スライドユニットと、前記互いに並行に設置される前記柱型スライドユニットの間に取付けられる連結板に設けられる巻取ローラと、前記巻取ローラに一端が固定され、前記柱型の外側中空体の上部に設けられたガイドローラと、前記内側中空体の下側に設けたガイドローラとに掛けられてから、他端が固定されるベルトまたはワイヤとを備えることとした。
【発明の効果】
【０００６】  本発明の柱型スライドユニットは、柱型の外側中空体と、前記柱型の外側中空体に内装される１個の内側中空体または、前記柱型の外側中空体に順次内装される複数個の内側中空体と、前記柱型の外側中空体と前記内側中空体との隙間および、前記内側中空体どうしの隙間に内装される長方体形状のスライダーとを備えることとしたため、戸棚などの箱体を簡潔構造で昇降可能とし、垂直方向に設置したときスライドする端部を水平方向に安定的とし、スライドしても美観上好ましいものとすることができる。
また、前記柱型の外側中空体は、側面に開口部が形成され、互いに連結する連結板の取付部が前記開口部に沿って設けられていることとしたため、柱型スライドユニットを併設して昇降可能に容易にすることができる。
また、本発明の柱型スライドユニット昇降装置は、柱型の外側中空体に内側中空体がスライド可能に内装され、互いに並行に設置される柱型スライドユニットと、前記互いに並行に設置される柱型スライドユニットに取付けられる取付ブラケットに設けられる巻取ローラと、前記巻取ローラに一端が固定され、前記内側中空体の内部に設けられたガイドローラに掛けられてから、他端が前記取付ブラケットに固定されるベルトまたはワイヤとを備えることとしたため、戸棚などの箱体を簡潔構造で昇降し、水平方向に安定的とし、昇降しても美観上好ましいものとすることができる。
また、本発明の柱型スライドユニット昇降装置は、柱型の外側中空体に内側中空体がスライド可能に内装され、互いに並行に設置される側面側が開口した柱型スライドユニットと、前記互いに並行に設置される前記柱型スライドユニットの間に取付けられる連結板に設けられる巻取ローラと、前記巻取ローラに一端が固定され、前記柱型の外側中空体の上部に設けられたガイドローラと、前記内側中空体の内部に設けられたガイドローラとに掛けられてから、他端が固定されるベルトまたはワイヤとを備えることとしたため、戸棚などの箱体を簡潔構造で昇降し、水平方向に安定的とし、昇降しても美観上好ましいものとすることができる。
さらに、本発明の柱型スライドユニット昇降装置は、柱型の外側中空体に内側中空体がスライド可能に内装され、互いに並行に設置される側面側が開口した柱型スライドユニットと、前記互いに並行に設置される前記柱型スライドユニットの間に取付けられる連結板に設けられる巻取ローラと、前記巻取ローラに一端が固定され、前記柱型の外側中空体の上部に設けられたガイドローラと、前記内側中空体の下側に設けたガイドローラとに掛けられてから、他端が固定されるベルトまたはワイヤとを備えることとしたため、戸棚などの箱体を簡潔構造で昇降し、水平方向に安定的とし、昇降しても美観上好ましいものとすることができる。
【発明を実施するための最良の形態】
【０００７】  以下、本発明の実施の形態の柱型スライドユニットとその昇降装置につき説明する。
【実施例】
【０００８】  図１は、本発明の実施の形態の柱型スライドユニットの断面図を示し、図１（ａ）は、筒型の外側中空体に角型の内側中空体が内装される構造の断面図を示し、図１（ｂ）は、筒型の外側中空体に筒型の内側中空体が内装される構造の断面図を示し、図１（ｃ）は、角型の外側中空体に角型の内側中空体が内装される構造の断面図を示す。
図１（ａ）に示すように、本発明の実施の形態の第１の柱型スライドユニット１０Ａは、筒型の外側中空体１１Ａと、第１の角型の内側中空体１２Ａと、第２の角型の内側中空体１３Ａとで構成され、第１の角型の内側中体１２Ａが、筒型の外側中空体１１Ａに長方体形状のスライダー１４Ａによりスライド可能に内装され、第２の角型の内側中空体１３Ａが、第１の角型の内側中体１２Ａにスライダー１４Ａによりスライド可能に内装されている。
図１（ｂ）に示すように、本発明の実施の形態の第２の柱型スライドユニット１０Ｂは、筒型の外側中空体１１Ｂと、第１の筒型の内側中空体１２Ｂと、第２の筒型の内側中空体１３Ｂとで構成され、第１の筒型の内側中空体１２Ｂが、筒型の外側中空体１１Ｂに長方体形状のスライダー１４Ｂによりスライド可能に内装され、第２の筒型の内側中空体１３Ｂが、第１の筒型の内側中空体１２Ｂにスライダー１４Ｂによりスライド可能に内装されている。
図１（ｃ）に示すように、本発明の実施の形態の第３の柱型スライドユニット１０Ｃは、角型の外側中空体１１Ｃと、第１の角型の内側中空体１２Ｃと、第２の角型の内側中空体１３Ｃとで構成され、第１の角型の内側中空体１２Ｃが、角型の外側中空体１１Ｃに長方体形状のスライダー１４Ｃによりスライド可能に内装され、第２の角型の内側中空体１３Ｃが、第１の角型の内側中空体１２Ｃにスライダー１４Ｃによりスライド可能に内装されている。
長方体形状のスライダーは、それぞれの外側中空体と内側中空体に沿って設けられているため幅と高さを小さくでき、内側中空体がスライドしても美観を好ましいものとすることがでる。また、長方体形状のスライダーは、それぞれの外側中空体と内側中空体の内側には固定し内側中空体がスライドしても外から見えないようにすることもでき、さらに美観を好ましいものとすることがでる。さらに、それぞれの内側中空体の外側には図２に示すスライドガイド部をなくし、内側中空体がスライドしてもスライダーとスライドガイド部を外から見えないようにすることもでき、さらに外からの美観を好ましいものとすることができる。【０００９】  第１、第２、第３の柱型スライドユニット１０Ａ、１０Ｂ、１０Ｃは、内側に２個の内側中空体を設けることとしたが、内側に１個または３個以上の中空体を設けるようにすることもできる。
図２は、本発明の実施の形態の第１の柱型スライドユニットの構成図を示し、図２（ａ）は、筒型の外側中空体の断面図を示し、図２（ｂ）は、第１の角型の内側中空体の断面図を示し、図２（ｃ）は、第２の角型の内側中空体の断面図を示す。
図２は、図１に示す柱型スライドユニット１０Ａを構成する筒型の外側中体１１Ａ、第１の角型の内側中体１２Ａ、第２の角型の内側中体１３Ａの断面図を示す。図２（ａ）に示すように、筒型の外側中空体１１Ａは、内側に円形の中空部１１Ａａが形成され、内側の中空部１１Ａａにスライドガイド部１５Ａが設けられ、スライドガイド部１５Ａには、スライダー１４Ａがスライド自在に挿入されるスライド溝１５Ａａが形成されている。
図２（ｂ）に示すように、第１の角型の内側中空体１２Ａは、内側に角形の中空部１２Ａａが形成され、コーナ部の内側と外側にスライドガイド部１６Ａが設けられ、スライドガイド部１６Ａには、スライダー１４Ａがスライド自在に挿入されるスライド溝１６Ａａが形成されている。
図２（ｃ）に示すように、第２の角型の内側中空体１３Ａは、内側に角形の中空部１３Ａａが形成され、コーナ部の外側にスライドガイド部１７Ａが設けられ、スライドガイド部１７Ａには、スライダー１４Ａがスライド自在に挿入されるスライド溝１７Ａａが形成されている。
図１に示す第２、第３の柱型スライドユニット１０Ｂ、１０Ｃも同様に形成され、スライダー１４Ｂ、１４Ｃがスライド自在に挿入される。【００１０】  図３は、本発明の実施の形態の第１の柱型スライドユニットに互いに連結するため取付部を形成した断面図を示す。
図３に示すように、柱型スライドユニット１０Ａの筒型の外側中空体１１Ａの側面には開口部１１Ａｂが形成され、開口部１１Ａａに沿って取付部１１Ａｃが設けられている。取付部１１Ａｃには連結受部１８ａが形成され、連結板１９の端部側には連結挿入部１８ｂが形成され、筒型の外側中空体１１Ａと連結板３９と連結し、柱型スライドユニット１０Ａどうしを互いに連結を行うことができる。
図１に示す第２、第３の柱型スライドユニット１０Ｂ、１０Ｃも同様に形成し、互いに連結を行うことができる。【００１１】  図４は、柱型スライドユニットにより上方より昇降を行う柱型スライドユニット昇降装置の正面図を示す。
柱型スライドユニット１０Ａにより上方より昇降を行う柱型スライドユニット昇降装置２０は、天井などに取付けられ、柱型スライドユニット１０Ａを昇降させ下端に取付ける戸棚などの箱体を昇降することができ、図４は、柱型スライドユニット１０Ａの下端を下降させたときの正面図を示す。
図４に示すように、柱型スライドユニット昇降装置２０は、並列設置し互いに連結した２個の柱型スライドユニット１０Ａ（図４は一方の柱型スライドユニット１０Ａを示す）と、柱型スライドユニット１０Ａの下端を昇降させる昇降駆動機構３０とで構成されている。
柱型スライドユニット１０Ａは、図１に示すように、筒型の外側中体１１Ａと、筒型の外側中体１１Ａにスライド可能に内装される第１の角型の内側中体１２Ａと、第１の角型の内側中体１２Ａにスライド可能に内装される第２の角型の内側中体１３Ａとで構成され、取付ブラケット３８の下側に取付けられ、第２の角型の内側中体１３Ａの下方にガイドローラ２１が設けられている。第１の角型の内側中体１２Ａと第２の角型の内側中体１３Ａには、所定の位置でストップするストッパ（図示せず）が設けられている。
昇降駆動機構３０は、柱型スライドユニット１０Ａの間に設けられる巻取ローラ３１と、取付ブラケット３８に設けられ巻取ローラ３１を回動する駆動モータ３２とで構成されている。駆動モータ３２は、ＤＣモータ３２ａと、ＤＣモータ３２ａの回転数を減速しトルクを増大する減速器３２ｂとにより構成され、減速器３６ｂの回転軸３１ａに駆動ローラ３１が取付けられている。駆動ローラ３１は、ベルト３９の巻取り、巻戻しを行うもので、ベルト３９は、巻取ローラ３１に一端が固定され、取付ブラケット３８に取付けられたガイドローラ３２に掛けられてからガイドローラ２１に掛けられ、他端が取付ブラケット３８に取付けられた係止部３７により固定されている。【００１２】  図４は、柱型スライドユニット１０Ａの下端を下降させたときの正面図を示すが、駆動モータ３２により矢印Ｄに示すように駆動ローラ３１を回動させたときには、ベルト３９は巻戻されて緩められ、また、他方の柱型スライドユニット１０Ａ（図示せず）も同様にベルト３９が緩められ、下端に取付ける戸棚などの箱体を下降させることができる。また、駆動モータ３２により矢印Ｕに示すように駆動ローラ３１を回動させたときには、ベルト３９は巻取られ、また、他方の柱型スライドユニット１０Ａ（図示せず）も同様にベルト３９が巻取られ、柱型スライドユニット１０Ａの下端に取付ける戸棚などの箱体を上昇させることができる。
図４は、柱型スライドユニット１０Ａの使用例を示すが、柱型スライドユニット１０Ｂ、柱型スライドユニット１０Ｃも同様に使用することができる。
なお、ベルト３９は、係止部３７のところに設けたガイドローラに掛けてから、第２の角型の内側中体１３Ａの下端に固定することもできる。【００１３】  図５は、柱型スライドユニットにより上方より昇降を行う他の柱型スライドユニット昇降装置の正面図を示す。
柱型スライドユニット１０Ａにより上方より昇降を行う柱型スライドユニット昇降装置４０は、天井などに取付けられ、柱型スライドユニット１０Ａを昇降させ下端に取付ける戸棚などの箱体を昇降することができ、図５は、柱型スライドユニット１０Ａの下端を下降させたときの正面図を示す。
図５に示すように、柱型スライドユニット昇降装置４０は、並列設置し互いに連結した２個の柱型スライドユニット１０Ａ（図４は一方の柱型スライドユニット１０Ａを示す）と、柱型スライドユニット１０Ａの下端を昇降させる昇降駆動機構５０とで構成されている。
柱型スライドユニット１０Ａは、図１に示すように、筒型の外側中体１１Ａと、筒型の外側中体１１Ａにスライド可能に内装される第１の角型の内側中体１２Ａと、第１の角型の内側中体１２Ａにスライド可能に内装される第２の角型の内側中体１３Ａとで構成され、第２の角型の内側中体１３Ａの下側にガイドローラ４１が設けられ、上側にガイドローラ５２が設けられている。筒型スライドユニット１０Ａは、図３に示すように筒型の外側中空体１１Ａの互いに向き合う面が開口し、連結板１９により連結している。また、第１の角型の内側中体１２Ａと第２の角型の内側中体１３Ａには、所定の位置でストップするストッパ（図示せず）が設けられている。
昇降駆動機構５０は、柱型スライドユニット１０Ａの間に設けられる巻取ローラ５１と、連結板１９に設けられ巻取ローラ５１を回動する駆動モータ５２とで構成されている。駆動ローラ５１は、ベルト５９の巻取り、巻戻しを行うもので、ベルト５９は、巻取ローラ５１に一端が固定され、ガイドローラ５２とガイドローラ４１に掛けられ、他端が柱型スライドユニット１０Ａの上端に取付けられた係止部５７により固定されている。【００１４】  図５は、柱型スライドユニット１０Ａの下端を下降させたときの正面図を示し、駆動モータ５２により矢印Ｄに示すように駆動ローラ５１を回動させたときには、ベルト５９は巻戻されて緩められ、また、他方の柱型スライドユニット１０Ａ（図示せず）も同様にベルト５９が緩められ、下端に取付ける戸棚などの箱体を下降させることができる。また、駆動モータ５２により矢印Ｕに示すように駆動ローラ５１を回動させたときには、ベルト５９は巻取られ、また、他方の柱型スライドユニット１０Ａ（図示せず）も同様にベルト５９が巻取られ、柱型スライドユニット１０Ａの下端に取付ける戸棚などの箱体を上昇させることができる。
図５は、柱型スライドユニット１０Ａの使用例を示すが、柱型スライドユニット１０Ｂ、柱型スライドユニット１０Ｃも同様に使用することができる。
なお、ベルト５９は、係止部５７のところに設けたガイドローラに掛けてから、第２の角型の内側中体１３Ａの下端に固定することもできる。【００１５】  図６は、柱型スライドユニットにより下方より昇降を行う柱型スライドユニット昇降装置の正面図を示す。
柱型スライドユニット１０Ａにより下方より昇降を行う柱型スライドユニット昇降装置６０は、天井などに取付けられ、柱型スライドユニット１０Ａを昇降させ下端に取付ける戸棚などの箱体を昇降することができ、図６は、柱型スライドユニット１０Ａの上端を上降させたときの正面図を示す。
図６に示すように、柱型スライドユニット昇降装置６０は、並列設置し互いに連結した２個の柱型スライドユニット１０Ａ（図４は一方の柱型スライドユニット１０Ａを示す）と、柱型スライドユニット１０Ａの下端を昇降させる昇降駆動機構７０とで構成されている。
柱型スライドユニット１０Ａは、図１に示すように、筒型の外側中体１１Ａと、筒型の外側中体１１Ａにスライド可能に内装される第１の角型の内側中体１２Ａとで構成され、第１の角型の内側中体１２Ａの下側にガイドローラ６１が設けられ、筒型の外側中体１１Ａの上方にガイドローラ７２が設けられている。筒型スライドユニット１０Ａは、図３に示すように筒型の外側中空体１１Ａの互いに向き合う面が開口し、連結板１９により連結している。また、第１の角型の内側中体１２Ａと第２の角型の内側中体１３Ａには、所定の位置でストップするストッパ（図示せず）が設けられている。
昇降駆動機構７０は、柱型スライドユニット１０Ａの間に設けられる巻取ローラ７１と、連結板１９に設けられ巻取ローラ７１を回動する駆動モータ７２とで構成されている。駆動ローラ７１は、ベルト７９の巻取り、巻戻しを行うもので、ベルト７９は、巻取ローラ７１に一端が固定され、ガイドローラ７２とガイドローラ６１に掛けられ、他端が筒型の外側中体１１Ａの上端に取付けられた係止部７７により固定されている。【００１６】  図６は、柱型スライドユニット１０Ａの上端を上降させたときの正面図を示し、駆動モータ５２により矢印Ｄに示すように駆動ローラ５１を回動させたときには、ベルト５９は巻戻されて緩められ、また、他方の柱型スライドユニット１０Ａ（図示せず）も同様にベルト５９が緩められ、上端に取付けるシステムキッチンや洗面台などの箱体を下降させることができる。また、駆動モータ５２により矢印Ｕに示すように駆動ローラ２１を回動させたときには、ベルト５９は巻取られ、また、他方の柱型スライドユニット１０Ａ（図示せず）も同様にベルト５９が巻取られ、筒型の外側中体１１Ａの上端に取付けるシステムキッチンや洗面台などの箱体を上昇させることができる。
図６は、柱型スライドユニット１０Ａの使用例を示すが、柱型スライドユニット１０Ｂ、柱型スライドユニット１０Ｃも同様に使用することができる。
なお、ベルト７９は、係止部７７のところに設けたガイドローラに掛けてから、筒型の外側中体１１Ａの下端に固定することもできる。【００１７】  以上述べたように、本発明の実施の形態の柱型スライドユニットは、戸棚などの箱体を簡潔構造で昇降可能とし、垂直方向に設置したときスライドする端部を水平方向に安定的とし、スライドしても美観上好ましいものとすることができる。また、柱型スライドユニット昇降装置も、戸棚などの箱体を簡潔構造で昇降し、水平方向に安定的とし、昇降しても美観上好ましいものとすることができる。
なお、本発明の実施の形態の柱型スライドユニットとその昇降装置は、システムキッチンの下側に装着することとしたが、その他、洗面台などの箱体の下側に装着するもできる。
また、柱型スライドユニットとその昇降装置は、２個の並列設置した筒型スライドユニットの上端を駆動部により昇降させる例につき説明し、システムキッチンの下側に設置することとしたが、その他、設置するシステムキッチンや洗面台などの箱体の大きさや形状に応じ１個の筒型スライドユニットを使用し駆動部により昇降させることもできる。
また、上記の実施例では、筒型スライドユニットは、筒型の外側中空体と、第１の角型の内側中空体と、第２の角型の内側中空体とで構成し、柱型のスライドユニットとているが、筒型の外側中空体は、角型の外側中空体とし、柱型のスライドユニットとすることもできる。
また、筒型スライドユニットは、筒型の外側中空体と第１の角型の内側中空体との間、および第１の角型の内側中空体と第２の角型の内側中空体との間にスライド可能にスライダーを設けることとしたが、スライダーに代えてローラを設けるようにすることもできる。
さらに、本発明の実施の形態の柱型スライドユニットとその昇降装置は、ベルトを使用することとしたが、ワイヤなども同様に使用することができる。
【図面の簡単な説明】
【００１８】
【図１】  本発明の実施の形態の柱型スライドユニットの断面図を示し、図１（ａ）は、筒型の外側中空体に角型の内側中空体が内装される構造の断面図を示し、図１（ｂ）は、筒型の外側中空体に筒型の内側中空体が内装される構造の断面図を示し、図１（ｃ）は、角型の外側中空体に角型の内側中空体が内装される構造の断面図を示す。
【図２】  本発明の実施の形態の第１の柱型スライドユニットの構成図を示し、図２（ａ）は、筒型の外側中空体の断面図を示し、図２（ｂ）は、第１の角型の内側中空体の断面図を示し、図２（ｃ）は、第２の角型の内側中空体の断面図を示す。
【図３】  本発明の実施の形態の第１の柱型スライドユニットに互いに連結するため取付部を形成した断面図を示す。
【図４】  柱型スライドユニットにより上方より昇降を行う柱型スライドユニット昇降装置の正面図を示す。
【図５】  柱型スライドユニットにより上方より昇降を行う他の柱型スライドユニット昇降装置の正面図を示す。
【図６】  柱型スライドユニットにより下方より昇降を行う柱型スライドユニット昇降装置の正面図を示す。
【符号の説明】
【００１９】１０Ａ  第１の柱型スライドユニット
１０Ｂ  第２の柱型スライドユニット
１０ｃ  第１の柱型スライドユニット
１１Ａ、１１Ｂ、１１ｃ  外側中空体
１２Ａ、１２Ｂ、１２Ｃ  第１の内側中体
１３Ａ、１３Ｂ，１３Ｃ  第２の内側中体
１４Ａ、１４Ｂ，１４Ｃ  スライダー
１１Ａａ、１２Ａａ、１３Ａａ  中空部
１１Ａｂ  開口部
１１Ａｃ  取付部
１９  連結板
２０、４０、６０  柱型スライドユニット昇降装置
２１、３２、４１、５２、６１、７２  ガイドローラ
３０、５０、７０  昇降駆動機構
３１、５１、７１  巻取ローラ
３２、５２、駆動モータ
３８  取付ブラケット
３９、５９、７９  ベルト
【図１】
2008161614.tif 000003
【図２】
2008161614.tif 000004
【図３】
2008161614.tif 000005
【図４】
2008161614.tif 000006
【図５】
2008161614.tif 000007
【図６】
2008161614.tif 000008